(57)【要約】【課題】乳母車を所定の位置に停止させるための乳母車収納具を提供する。【解決手段】乳母車収納具１が、２つの側板２と、２つの側板２間に設けられた車輪止部材５とを具備する。車輪止部材５が、傾斜した板状部材であってもよい。２つの側板２間に設けられた天板３をさらに具備してもよい。２つの側板２間に設けられた背板４をさらに具備し、背板４が、天板３よりも下方に配置されていてもよい。背板４が、側板２の後端面よりも前方に配置されていてもよい。【選択図】図３
2020062226.tif 000002
【特許請求の範囲】
【請求項１】
２つの側板と、該２つの側板間に設けられた車輪止部材とを具備することを特徴とする乳母車収納具。
【請求項２】
前記車輪止部材が、傾斜した板状部材である請求項１に記載の乳母車収納具。
【請求項３】
前記２つの側板間に設けられた天板をさらに具備する請求項１又は２に記載の乳母車収納具。
【請求項４】
前記２つの側板間に設けられた背板をさらに具備し、前記背板が、前記天板よりも下方に配置されている請求項３に記載の乳母車収納具。
【請求項５】
前記背板が、前記側板の後端面よりも前方に配置されている請求項４に記載の乳母車収納具。
【発明の詳細な説明】
【技術分野】
【０００１】
本発明は、乳母車収納具に関する。
【背景技術】
【０００２】
電車内の座席に対して効率的に停止又は配置することができる乳母車（ベビーカー）が公知である（特許文献１）。
【先行技術文献】
【特許文献】
【０００３】
【特許文献１】特開２０１２−０６５７４５号公報
【発明の概要】
【発明が解決しようとする課題】
【０００４】
ところで近年、乳幼児のおむつの交換等のための休憩室を備えた商業施設等が増えている。こうした休憩室は、その目的のため子供を乳母車に乗せた使用者が多い。そのため、休憩室の通路は、停止された乳母車によって混雑し、通行の妨げとなる。
【０００５】
本発明は、乳母車を所定の位置に停止させるための乳母車収納具を提供することを目的とする。
【課題を解決するための手段】
【０００６】
本発明の一態様によれば、２つの側板と、該２つの側板間に設けられた車輪止部材とを具備することを特徴とする乳母車収納具が提供される。
【０００７】
前記車輪止部材が、傾斜した板状部材であってもよい。前記２つの側板間に設けられた天板をさらに具備してもよい。前記２つの側板間に設けられた背板をさらに具備し、前記背板が、前記天板よりも下方に配置されていてもよい。前記背板が、前記側板の後端面よりも前方に配置されていてもよい。
【発明の効果】
【０００８】
本発明の態様によれば、乳母車を所定の位置に停止させるための乳母車収納具を提供するという共通の効果を奏する。
【図面の簡単な説明】
【０００９】
【図１】図１は、乳母車収納具の斜視図である。
【図２】図２は、図１の乳母車収納具の正面図である。
【図３】図３は、図２の線Ａ−Ａにおける乳母車収納具の断面図である。
【図４】図４は、図２の線Ｂ−Ｂにおける乳母車収納具の断面図である。
【発明を実施するための形態】
【００１０】
以下、図面を参照しながら本発明の実施の形態を詳細に説明する。全図面に渡り、対応する構成要素には共通の参照符号を付す。
【００１１】
図１は、乳母車収納具１の斜視図であり、図２は、図１の乳母車収納具１の正面図であり、図３は、図２の線Ａ−Ａにおける乳母車収納具１の断面図であり、図４は、図２の線Ｂ−Ｂにおける乳母車収納具１の断面図である。
【００１２】
乳母車収納具１は、２つの側板２と、２つの側板２間に設けられた天板３と、２つの側板２間に設けられた背板４と、２つの側板２間に設けられた車輪止部材５とを具備する。図３を参照すると、使用者は、図中、乳母車収納具１に対して左から右に乳母車１０を押し、乳母車１０を乳母車収納具１に収納する。すなわち、使用者は、図中、乳母車収納具１に対して左側に立っている。本明細書中では、乳母車収納具１において、使用者から見た手前側（図中左側）を「前」側と規定し、使用者から見た奥側（図中右側）を「後」側と規定する。
【００１３】
天板３は、側板２の上端部から僅かばかり下方に配置されている。背板４は、背板４の上端面と天板３の下端面とが当接するように配置されている。すなわち、背板４は、天板３よりも下方に配置されている。背板４は、天板３に垂直に配置されている。なお、背板４が、天板３よりも下方に配置されている限りにおいて、背板４の上端面と天板３の下端面とが当接していなくてもよい。背板４に代えて、２つの側板２間に梁等の支持部材を配置してもよい。
【００１４】
車輪止部材５は、前方に向かって傾斜するように２つの側板２間に設けられた板状部材である。したがって、車輪止部材５は、前端が最も鉛直下方に配置されている。車輪止部材５の前端部は、乳母車収納具１の下端面、すなわち乳母車収納具１の接地面に対して近接して配置される。他方、車輪止部材５の後端部は、乳母車収納具１の後端面の近傍まで延びるように配置される。
【００１５】
図３に示されるように、使用者は、乳母車１０を前進させて、乳母車１０の前部を乳母車収納具１に収納する。このとき、乳母車１０の２つの前輪１１が車輪止部材５に当接して係止することによって、使用者は、乳母車１０をこれ以上前進させることができない。すなわち、乳母車収納具１によれば、乳母車１０の前進が規制され、乳母車１０を所定の位置に停止させることができる。したがって、休憩室等に複数の乳母車収納具１を並列配置することによって、複数の乳母車１０を並列配置させることができ、休憩室等の通路が、停止された乳母車によって混雑し、通行の妨げとなることはない。
【００１６】
車輪止部材５を傾斜した１つの板状部材とすることによって、乳母車１０を係止しつつ乳母車１０に乗っている子供の足が車輪止部材５に当たらない。言い換えると、乳母車１０に乗っている子供の足が車輪止部材５に当たらないように、車輪止部材５の傾斜が決定される。また、車輪止部材５が１つの板状部材からなることから、材料コストが低く、製造コストも低い。乳母車収納具１の車輪止部材５は、乳母車１０を所定の位置に停止させることができる限りにおいて、任意に構成することができる。例えば、車輪止部材５を、段差状又は階段状、さらには複数の梁状に設けてもよい。
【００１７】
２人の子供を連れた使用者は、例えば１人の子供を乳母車に乗せたまま、もう１人の子供のおむつを交換する場合がある。本来、子供を乳母車に乗せたまま使用者が離れるのは誤使用であるが、本発明は安易に想定される誤使用のための対策である。このとき、子供が乳母車１０に乗った状態で、乳母車１０を乳母車収納具１に収納しようとしたとしても、車輪止部材５によって、乳母車１０の前進が規制されることから、子供が天板３に頭をぶつけることがない。言い換えると、乳母車１０に乗った子供が頭をぶつけないように、天板３の寸法や車輪止部材５の配置等が設計される。なお、側板２及び天板３をより前方へ延ばして形成し、乳母車１０の全体又はほぼ全体が収納されるように、乳母車収納具１を構成してもよい。
【００１８】
乳母車収納具１は、荷物台として使用することもできる。すなわち、使用者は、天板３の上に鞄等の物品を配置することができる。このとき、乳母車収納具１が、天板３からの物品の落下を防止するため、側板２を天板３からより上方へ延びるように構成してもよい。
【００１９】
乳母車収納具１を荷物台として使用する場合、天板３の高さが高すぎると物品を配置し難くなり、天板３の高さが低すぎると乳母車１０を収納できなくなる。さらに、天板３の高さが低すぎると、乳母車１０に乗った状態の子供が天板３に頭をぶつけてしまう可能性がある。したがって、天板３の最適な高さは、これら事項を考慮して決定される。天板３の高さは、例えば１２０ｃｍである。
【００２０】
乳母車収納具１は、安定性を考慮すると休憩室等の壁面に当接させて設置することが好ましいが、壁面から離間して配置してもよい。この場合、子供がふざけて乳母車収納具１の後側から端部に手を掛けてぶら下がる虞がある。子供がぶら下がると、乳母車収納具１が子供と共に転倒し、子供が怪我する虞がある。そのため、乳母車収納具１では、背板４を天板３よりも下方に配置することによって、子供が背板４の頂部に手を掛け難くなり、ぶら下がり難くなる。さらに、背板４を天板３よりも下方に配置することによって、外観の意匠性を損なうこともない。
【００２１】
また、乳母車収納具１では、図４に示されるように、背板４が側板２の後端面よりも前方に配置されている。そのため、背板４が側板２の後端面と略同一面上に配置されている場合に比べて、乳母車収納具１の重心がより前方に位置することとなる。そのため、仮に子供が乳母車収納具１の後側から天板３にぶら下がったとしても、乳母車収納具１は転倒し難くなる。
【００２２】
重心をより前方に移動させるため、側板２自体の重心がより前方及び／又はより下方となるように構成してもよい。例えば、側板２の上半分及び／又は後半分の内部をペーパーコアで構成し、側板２の下半分及び／又は前半分の内部を中密度繊維板（ＭＤＦ）で構成してもよい。錘の付加等の別の手段で以て、乳母車収納具１の重心を前方及び／又はより下方となるように構成してもよい。
【００２３】
乳母車収納具１は、１つの乳母車収納具１に対して１つの乳母車１０を収納するように構成されているが、２つ又は３つ以上の乳母車１０を収納できるように、横幅をより広く構成してもよい。また、乳母車収納具１は、全体的に棚の形状であったが、他の構成であってもよい。例えば、乳母車収納具が、２つの側板２及び２つの側板間に設けられた車輪止部材のみを有し、天板及び背板を有さなくてもよい。
【符号の説明】
【００２４】
１    乳母車収納具
２    側板
３    天板
４    背板
５    車輪止部材
１０  乳母車
１１  前輪
【図１】
2020062226.tif 000003
【図２】
2020062226.tif 000004
【図３】
2020062226.tif 000005
【図４】
2020062226.tif 000006